(57)【要約】【課題】保炎性がよく、かつあふれた煮汁等に燃焼が影響されないようにしたバーナおよびこれを用いたコンロを提供することを目的とするものである。【解決手段】バーナ本体１と、炎口板７および煮零れ防止体１３とからなり、炎口板７は、その内側面を内周方向に傾斜させて燃焼面１２とし、煮零れ防止体１３は、その上端部１５を燃焼面１２に庇状に臨ませて炎口板７の外周部２２を固定し、煮零れ防止体１３と炎口板７をバーナ本体１の混合室５に気密状態に取り付けたことにより、煮零れ防止体１３の庇状部の作用により炎口板７の上方で燃料予混合気の滞留を発生させ、保炎性が良好にするとともに、あふれた煮汁等は煮零れ防止体１３により燃焼面１２への侵入を防止する。【選択図】  図１
2004150693.tif 000002
【特許請求の範囲】
【請求項１】
環状の混合室と中央の二次空気通路を有するバーナ本体と、このバーナ本体の混合室上に載置した、炎口板および煮零れ防止体からなるバーナキャップとからなり、前記炎口板は、その内側面を上方から下方にかけて内周方向に傾斜させて燃焼面とし、前記煮零れ防止体は、その上端部を炎口板の燃焼面に庇状に臨ませて炎口板の外周部を固定し、煮零れ防止体の内周部とバ−ナ本体の混合室の外周部、炎口板の内周部と混合室の内周部をそれぞれ気密状態に取り付けたバ−ナ。
【請求項２】
煮零れ防止体の内側に固定リングを設け、この固定リングに炎口板の外周部の端部を当接させて煮零れ防止体と炎口板を固定した請求項１に記載のバーナ。
【請求項３】
煮零れ防止体の内側に炎口板の外周部を圧入して煮零れ防止体と炎口板を固定した請求項１または２に記載のバーナ。
【請求項４】
煮零れ防止体と炎口板の外周部間にガタを持たせて固定した請求項２に記載のバ−ナ。
【請求項５】
煮零れ防止体の内側と炎口板の外周部のいずれかに凸部を設け他方に凹部を設け、凸部と凹部の嵌合により煮零れ防止体と炎口板を固定した請求項１〜３のいずれか１項に記載のバーナ。
【請求項６】
請求項１〜５のいずれか１項に記載のバーナを備えたコンロ。
【発明の詳細な説明】
【０００１】
【発明の属する技術分野】
本発明は、バーナ本体とバーナキャップからなるバーナおよびこれを用いたコンロに関し、保炎性がよく、かつあふれた煮汁等に燃焼が影響されないようにしたものである。
【０００２】
【従来の技術】
従来、バーナをバーナ本体とバーナキャップから構成し、炎をバーナの中心に向かうようにして、被加熱物である鍋の把手およびコンロ本体が加熱されないようにしたものが知られている（例えば、特許文献１参照）。
【０００３】
【特許文献１】
特開平９−１５９１１９号公報
【０００４】
【発明が解決しようとする課題】
しかしながら、前記従来のバーナは、バーナ本体にバーナキャップが嵌合されているにすぎず、保炎性をよくすることや、あふれた煮汁等により燃焼が影響されないようにするための工夫がなされておらず、燃焼が不安定であり、かつあふれた煮汁等の影響をもろに受けるものである。
【０００５】
本発明は、前記従来の課題を解決するもので、保炎性がよく、かつあふれた煮汁等に燃焼が影響されないようにしたバーナおよびこれを用いたコンロを提供することを目的とするものである。
【０００６】
【課題を解決するための手段】
前記目的を達成するために、本発明のバーナおよびこれを用いたコンロは、バーナ本体と、炎口板および煮零れ防止体からなるバーナキャップとからなり、前記炎口板は、その内側面を上方から下方にかけて内周方向に傾斜させて燃焼面とし、前記煮零れ防止体は、その上端部を炎口板の燃焼面に庇状に臨ませて炎口板の外周部を固定し、煮零れ防止体の内周部とバ−ナ本体の混合室の外周部、炎口板の内周部と混合室の内周部をそれぞれ気密状態に取り付けたものである。
【０００７】
これにより、煮零れ防止体の庇状部の作用により炎口板の上方で燃料予混合気の滞留が発生するため、保炎性が良好になり、高燃焼量から低燃焼量まで安定燃焼が確保できるとともに、あふれた煮汁等があっても煮零れ防止体の作用により燃焼面への侵入を防止し、燃焼への影響をなくすことができる。
【０００８】
【発明の実施の形態】
請求項１に記載の発明は、環状の混合室と中央の二次空気通路を有するバーナ本体と、このバーナ本体の混合室上に載置した、炎口板および煮零れ防止体からなるバーナキャップとからなり、前記炎口板は、その内側面を上方から下方にかけて内周方向に傾斜させて燃焼面とし、前記煮零れ防止体は、その上端部を炎口板の燃焼面に庇状に臨ませて炎口板の外周部を固定し、煮零れ防止体の内周部とバ−ナ本体の混合室の外周部、炎口板の内周部と混合室の内周部をそれぞれ気密状態に取り付けたバ−ナとしたことにより、煮零れ防止体の庇状部の作用により炎口板の上方で燃料予混合気の滞留が発生するため、保炎性が良好になり、高燃焼量から低燃焼量まで安定燃焼が確保できるとともに、あふれた煮汁等があっても煮零れ防止体の作用により燃焼面への侵入を防止し、燃焼への影響をなくすことができる。
【０００９】
請求項２に記載の発明は、煮零れ防止体の内側に固定リングを設け、この固定リングに炎口板の外周部の端部を当接させて煮零れ防止体と炎口板を固定した請求項１に記載のバーナとしたことにより、例えば、煮零れ防止体を剛体で作り（鍛造品、押し出し成形品等）、炎口板を板金で作り、両者を合体することで機械的強度の高いバ−ナができる。また、煮零れ防止体と炎口板を別物で構成したことにより、煮零れ防止体には低温での耐腐食性能の高い材料、炎口板には高温での耐腐食性能の高い材料を使用することができ、バ−ナの煮汁等による腐食に対する対する寿命を飛躍的に向上することができる。
【００１０】
請求項３に記載の発明は、煮零れ防止体の内側に炎口板の外周部を圧入して煮零れ防止体と炎口板を固定した請求項１または２に記載のバーナとしたことにより、煮零れ防止体と炎口板の固定に特別な部材が不要であり、廉価なバ−ナを提供できる。
【００１１】
請求項４に記載の発明は、煮零れ防止体と炎口板の外周部間にガタを持たせて固定した請求項２に記載のバ−ナとしたことにより、煮零れ防止体の内周部とバ−ナ本体の混合室の外周部、炎口板の内周部と混合室の内周部の軸心が多少ズレていても、ガタによって互いにズレあって、両気密嵌合部は嵌合しあって取り付けられ、混合室からの混合気の漏れを防止できる。
【００１２】
請求項５に記載の発明は、煮零れ防止体の内側と炎口板の外周部のいずれかに凸部を設け他方に凹部を設け、凸部と凹部の嵌合により煮零れ防止体と炎口板を固定した請求項１〜３のいずれか１項に記載のバーナとしたことにより、炎口板と煮零れ防止体の両者が外力によって回転したりすることがなく、両者間の位置関係は確実に確保でき、適正な燃焼が行える。
【００１３】
請求項６に記載の発明は、請求項１〜５のいずれか１項に記載のバーナを備えたコンロとしたことにより、保炎性が良好で、高燃焼量から低燃焼量まで安定燃焼が確保できるとともに、あふれた煮汁等があっても燃焼への影響がないコンロが提供できる。
【００１４】
【実施例】
以下、本発明の実施例について図面を用いて説明する。
【００１５】
（実施例１）
図１、図２は本発明の実施例１におけるバーナを示すものである。
【００１６】
図において、１はバーナ本体で、燃料予混合ガスの混合管部２と、内周部３と外周部４間に形成した環状の混合室５とを一体で構成している。内周部３で囲まれた中央部の空間は貫通した二次空気通路６となっている。７は断面形状が略円錐台形状をしたリング状の炎口板で、中央に二次空気通路６と対応する開口部８がある。炎口板７は、その内側面を上方から下方にかけて内周方向に傾斜させて燃焼面１２としている。燃焼面１２は、傾斜面に長スリット孔９と短スリット孔１０を放射状に分散配置した炎口部１１を設けて形成している。これは、長スリット孔９で形成される火炎同士の干渉を、短スリット孔１０で形成される火炎で抑制して火炎を分割し、全体として短炎化を実現するためである。
【００１７】
１３は上端部１５を炎口板７の燃焼面１２に庇状に臨ませて炎口板７の外周部２２を固定した環状の煮零れ防止体で、この実施例では炎口板７と一体化している。この状態では、煮零れ防止体１３が炎口板７の上端部１４に載置されたような形となっている。煮零れ防止体１３の上端部１５の内径は、炎口板７の下端部１６の内径と同等あるいは１〜２ｍｍ程度大きくし、炎口板７の燃焼面１２に庇状に臨ませて燃焼面１２の一部を上方から見て塞ぐようにしている。
【００１８】
前記した炎口板７および煮零れ防止体１３は、バーナ本体１の混合室５上に載置したバーナキャップ１７を構成しているものであり、炎口板７の内周部１８の内側と混合室５の内周部３の外側、煮零れ防止体１３の内周部２１の内側と混合室５の外周部４の外側をそれぞれ気密状態に嵌合させ、バーナ本体１とバーナキャップ１７でバーナを構成している。
【００１９】
次に動作、作用について説明すると、燃料予混合ガスは混合管部２を通じて吸引され、混合室５内に均一に拡散し、炎口部１１で火炎を形成する。この時、炎口部１１で形成される火炎は、燃焼面１２の傾斜面に沿って斜め上方に発生するが、バーナキャップ１７の周囲から供給される二次空気と、バーナ本体１およびバーナキャップ１７の炎口板７で構成された二次空気通路６を通じて上昇気流となって流入する二次空気とによって挟まれることにより、燃焼面１２近傍で燃焼促進されて高温火炎となり、同時に直上方向に向くようになる。また、煮零れ防止体１３の上端部１５の下部と炎口板７の上部の間では、煮零れ防止体１３に衝突して発生する外向きの燃料予混合気の流れと、燃焼面１２を通過する上向きの燃料予混合気の流れが衝突し、煮零れ防止体１３と炎口板７の上端の間で燃料予混合気の滞留が発生する。このため、保炎性が良好になり、吹き飛びを起こしやすいガスにおいても安定した燃焼炎が形成されることになる。
【００２０】
また、低燃焼量においては、保炎性が高まることにより、滅火現象（燃焼炎が吹き飛び、吹き消え等で消滅する現象）を防止することができる。したがって、高燃焼量から低燃焼量の広い範囲で直上方向へ火炎を集中させることができ、熱放散を防止できる。このため、効率の良い熱伝達と幅広い火力可変範囲を有する調理器用のバーナが実現できる。
【００２１】
（実施例２）
次に、本発明の実施例２におけるバーナについて、図１に基づいて説明する。基本構成は実施例１と同じであるので、異なる点についてのみ説明する。
【００２２】
本実施例では、煮零れ防止体１３の内周部２１に、凹状の溝１９を設けており、ここに、溝１９の外径に比較して大きい外径で、内径は炎口板７の外周部２２より小さい内径を有した線材状のバネ性を有した固定リング２０を嵌合している。この煮零れ防止体１３の内側に設けた固定リング２０には、煮零れ防止体１３と炎口板７が一体化された際、炎口板７の外周部２２の端部２３が当接し煮零れ防止体１３と炎口板７を固定するようになっている。
【００２３】
次に動作、作用について説明すると、炎口板７と煮零れ防止体１３は両者の嵌合と固定リング２０により確実に固定され、両者は分離することがない。そして、例えば、煮零れ防止体１３を剛体で作り（鍛造品、押し出し成形品等）、炎口板７を板金で作り、両者を合体することで機械的強度の高いバ−ナができる。また、煮零れ防止体１３と炎口板７を別物で構成したことにより、煮零れ防止体１３には低温での耐腐食性能の高い材料、炎口板７には高温での耐腐食性能の高い材料を使用することができ、バ−ナの煮汁等による腐食に対する対する寿命を飛躍的に向上することができる。さらに、実施例１と同様の燃焼性能の向上と、煮零れ防止性能の向上がはかれるものである。
【００２４】
（実施例３）
次に、本発明の実施例３におけるバーナについて、図１に基づいて説明する。基本構成は実施例１と同じであるので、異なる点についてのみ説明する。
【００２５】
本実施例では、煮零れ防止体１３の内側、すなわち内周部２１に、炎口板７の外周部２２を圧入して煮零れ防止体１３と炎口板７を固定したものである。当然のことではあるが、煮零れ防止体１３の内周部２１と、炎口板７の外周部２２との径の大きさが配慮され、圧入により煮零れ防止体１３と炎口板７はきっちりと固定されるようになっている。
【００２６】
次に動作、作用について説明すると、炎口板７と煮零れ防止体１３は確実に固定され、両者は分離することがない。そして、実施例２のような固定リング２０が不要になるために、廉価なバ−ナを提供でき、さらには、実施例１と同様の燃焼性能の向上と、煮零れ防止性能の向上がはかれる。
【００２７】
（実施例４）
次に、本発明の実施例４におけるバーナについて、図１に基づいて説明する。基本構成は実施例１と同じであるので、異なる点についてのみ説明する。
【００２８】
本実施例では、煮零れ防止体１３の内周部２１と炎口板７の外周部２２間にガタを持たせて固定し、炎口板７の内周部１８の内側と混合室５の内周部３の外側、煮零れ防止体１３の内周部２１の内側と混合室５の外周部４の外側をそれぞれ気密状態に嵌合させたものである。
【００２９】
次に動作、作用について説明すると、煮零れ防止体１３の内周部２１とバ−ナ本体１の混合室５の外周部４、炎口板７の内周部１８と混合室５の内周部３の軸心が多少ズレていても、ガタによって互いにズレあって、両気密嵌合部は嵌合しあって取り付けられ、混合室５からの混合気の漏れを防止できる。
【００３０】
また、気密嵌合は、炎口板７とバーナ本体１間と、煮零れ防止体１３とバ−ナ本体１間で確保するために、両気密嵌合部が異なる構成部品である。従って、必要な気密嵌合状態を得るための加工精度は、気密嵌合部の両物間の隙間のみが要求され、隙間と平面度の両方が要求されないので、物づくりが容易で安価なバ−ナを提供することができる。しかも、両気密嵌合部は、隙間で管理されているために隙間以上の異物の噛み込みもなく、気密嵌合状態が安定して確保、維持できるために、安全なバ−ナおよび安全な調理器が提供できる。
（実施例５）
次に、本発明の実施例５におけるバーナについて、図３に基づいて説明する。基本構成は実施例１と同じであるので、異なる点についてのみ説明する。
【００３１】
本実施例では、煮零れ防止体１３の内側、すなわち内周部２１と炎口板７の外周部２２のいずれかに凸部２４を設け他方に凹部２５を設け、凸部２４と凹部２５の嵌合により煮零れ防止体１３と炎口板７を固定したものである。本実施例では凸部２４を炎口板７の外周部２２に、凹部２５を煮零れ防止体１３の内周部２１に設けているが、逆に設けてもよいものである。
【００３２】
次に動作、作用について説明すると、炎口板７と煮零れ防止体１３が凸部２４と凹部２５の嵌合であるため、炎口板７と煮零れ防止体１３の両者が外力によって回転したりすることのないように固定され、両者間の位置関係は確実に確保できる。そして、実施例１と同様、燃焼性能の向上、あいは煮零れ防止性能の向上等がはかれる。
【００３３】
（実施例６）
次に、本発明の実施例６におけるバーナについて、図４に基づいて説明する。バーナの基本構成は実施例１〜５と同じであるので、異なる点についてのみ説明する。
【００３４】
本実施例は、実施例１〜５のいずれかのバーナを用いたコンロ２８にポイントがある。
【００３５】
コンロ２６は、天板２７のコンロ開口部２８に、中央にバーナ開口部２９を設けた汁受け皿３０を載置し、バーナ開口部２９に各実施例に示したバーナを臨ませ、汁受け皿３０の外周近傍には、被加熱物である鍋３１を載置するゴトク３２を設けたものである。ここで、図示していないが、ゴトク３２は、バーナの燃焼面に設けた短スリット孔１０（図１）群の上部に対応する位置に配置したものである。
【００３６】
次に動作、作用について説明すると、ゴトク３２上に鍋３１を載置して調理を行う場合、実施例１で説明したように、バーナの燃焼面１２で形成される火炎は短炎化されており、鍋３１とバーナとの距離を短くしてもＣＯ等が発生しにくく、同時に燃焼面１２の炎口部１１の内、短スリット孔１０群の直上に、ゴトク３２が位置するため、ゴトク３２が火炎に強くあぶられることがないため、ゴトク３２の火炎による破壊と熱ロスを抑制できることにより、低ＣＯ燃焼と高い熱効率を実現できる。さらに低燃焼量においては、保炎性が高くかつ小火炎となるため、低火力で調理する場合に適した状態を実現できる。したがって、高燃焼量から低燃焼量まで、高効率かつ安定燃焼が実現でき、調理性能に優れた調理器を提供することができる。さらに、鍋３１から煮零れが発生した場合は、煮零れ防止体１３によって、直下の炎口部１１内に煮汁が落下することを防止できることは既に説明したとおりである。
【００３７】
【発明の効果】
以上のように、本発明のバーナおよびこれを用いたコンロによれば、煮零れ防止体の庇状部の作用により炎口板の上方で燃料予混合気の滞留が発生するため、保炎性が良好になり、高燃焼量から低燃焼量まで安定燃焼が確保できるとともに、あふれた煮汁等があっても煮零れ防止体の作用により燃焼面への侵入を防止し、燃焼への影響をなくすことができる。
【図面の簡単な説明】
【図１】本発明の実施例１〜３におけるバーナの部分断面図
【図２】同バーナの平面図
【図３】本発明の実施例５におけるバーナの要部を示す部分断面図
【図４】本発明の実施例６におけるコンロの部分断面図
【符号の説明】
１  バーナ本体
３  混合室の内周部
４  混合室の外周部
５  混合室
６  二次空気通路
７  炎口板
９  長スリット孔
１０  短スリット孔
１１  炎口部
１２  燃焼面
１３  煮零れ防止体
１５  煮零れ防止体の上端部
１６  炎口板の下端部
１７  バーナキャップ
１８  炎口板の内周部
２０  固定リング
２１  煮零れ防止体の内周部
２２  炎口板の外周部
２４  凸部
２５  凹部
２８  コンロ
【図１】
2004150693.tif 000003
【図２】
2004150693.tif 000004
【図３】
2004150693.tif 000005
【図４】
2004150693.tif 000006